(57)【要約】【課題】有価証券その他カード類の真贋判定を簡便且つ適格に行えるようにした真贋判定表示部を備えたシートを提供する。【解決手段】シート基材１の所定部にＥＬ素子からなる真贋判定表示部２を設けた。真贋判定時には所定の方法によって電力を供給し、ＥＬ素子を発光させて真贋判定表示部２にＩＤ情報６を表示する。【選択図】　　図３
2004078608.tif 000002
【特許請求の範囲】
【請求項１】
シート基材の所定部に、ＥＬ素子からなり、少なくとも当該シートのＩＤ情報を表示する真贋判定表示部を備えたことを特徴とする真贋判定表示部を備えたシート。
【請求項２】
前記真贋判定表示部に通電するための導電線を、導電性インクにより形成したことを特徴とする請求項１記載の真贋判定表示部を備えたシート。
【請求項３】
前記真贋判定表示部にＩＣモジュールを組み付けたことを特徴とする請求項１記載の真贋判定表示部を備えたシート。
【請求項４】
前記シート基材にアンテナモジュールを設けたことを特徴とする請求項３記載の真贋判定表示部を備えたシート。
【請求項５】
前記シート基材に電源部を設けたことを特徴とする請求項３ないし請求項４記載の真贋判定表示部を備えたシート。
【請求項６】
前記シート基材に磁気記録部を設けたことを特徴とする請求項１記載の真贋判定表示部を備えたシート。
【発明の詳細な説明】
【０００１】
【発明の属する技術分野】
本発明は、真贋判定表示部を備えたシートに係り、特にＥＬ（ＥｌｅｃｔｒｏＬｕｍｉｎｅｓｃｅｎｔ）素子からなり、ＩＤ情報を表示する真贋判定表示部を備えたシートに関する。
【０００２】
【従来の技術】
証券類、小切手、各種のチケット、クレジットカード等においては、偽造や改ざんを防止するために真贋判定部が設けられているものがある。この真贋判定部としては、従来例えばホログラムラベルや光輝性ラベルを貼付する、蛍光インク等の特殊インクを用いてＩＤ情報を印字し、様々な波長領域の光を照射して発光させる等の真贋判定部が知られている。
【０００３】
【発明が解決しようとする課題】
上記の真贋判定部のうち、ホログラムラベルや光輝性ラベルを貼付する場合は、表面が損傷すると真贋判定機能が不能又は不十分となり、蛍光インク等の特殊インクを用いてＩＤ情報を印字する場合は、近時特殊インクが市販されていることから偽造がそれほど困難でなくなりセキュリティ特性の低下を招いている。又、ブラックライト等の特殊な光源を必要とする場合でも、ブラックライト等は近時簡単に入手できるため、この点においてもセキュリティ特性の低下を招いている。
【０００４】
本発明は、このような従来の問題を解決するためになされ、証券類、小切手、各種のチケット、クレジットカード等の真贋判定を簡便且つ適格に行えるようにした真贋判定表示部を備えたシートを提供することを目的とする。
【０００５】
【課題を解決するための手段】
上記の目的を達成するための手段として、本発明の請求項１は、シート基材の所定部に、ＥＬ素子からなり、少なくとも当該シートのＩＤ情報を表示する真贋判定表示部を備えたことを特徴とする。
【０００６】
この請求項１の発明では、真贋判定表示部のＥＬ素子に通電することで発光させ、真贋判定表示部にシートのＩＤ情報を表示することができる。これにより、真贋判定機能を充分発揮させることができると共に、シートのセキュリティ特性を高めることができる。
【０００７】
又、本発明の請求項２は、請求項１において、前記ＥＬ素子からなる真贋判定表示部に通電するための導電線を、導電性インクにより形成したことを特徴とする。
【０００８】
この請求項２の発明では、導電線を導電性インクにより形成したことにより、通常の金属線を用いたのに比べ、シートへの定着性が良く、又、導電線からなる回路自体を薄く形成できるため、薄型の真贋判定表示部にも好適に対応できる。例えば、シート基材の端縁部や面上などに位置し、導電性インクにより形成した導電線に端子を設け、外部電源を接続することでＥＬ素子に通電し、真贋判定表示部にＩＤ情報を表示することができる。
【０００９】
本発明の請求項３は、請求項１において、前記真贋判定表示部にＩＣモジュールを組み付けたことを特徴とする。
【００１０】
この請求項３の発明では、ＩＣモジュールに記憶されているＩＤ情報を、例えば、複数のＩＤ情報の中から所定のＩＤ情報を適宜選択したり、ＩＣモジュールに新規のＩＤ情報を付加したり、既に記憶しているＩＤ情報の変更や削除が行えるため、これをもって真贋判定表示部に任意のＩＤ情報を表示できる。
【００１１】
本発明の請求項４は、請求項３において、前記シート基材にアンテナモジュールを設けたことを特徴とする。
【００１２】
この請求項４の発明では、請求項３におけるＩＣモジュールを、アンテナモジュールを有した非接触型ＩＣデータ送受信方式に対応させることで、無線によりＩＤ情報の選択表示、付加、変更、削除などが行える。又、アンテナモジュールとは、通常、導線からなる閉回路（尚、コンデンサ部などを有する分岐回路を付帯する場合もある）であって、このモジュールに電磁波を照射することで起電力を発生させ、この起電力により真贋判定表示部にＩＤ情報を表示させることもできるため、外部電源を不必要とすることもできる。
【００１３】
本発明の請求項５は、請求項３ないし請求項４において、前記シート基材に電源部を設けたことを特徴とする。
【００１４】
この請求項５の発明では、シート基材に設けられた電源部により、非接触型ＩＣデータ送受信方式、接触型ＩＣデータ送受信方式を問わず、有効にＩＣモジュールを駆動できるため、外部電源をなくすことができる。
【００１５】
本発明の請求項６は、請求項１において、前記シート基材に磁気記録部を設けたことを特徴とする。
【００１６】
この請求項６の発明では、前述したＩＣモジュールと同様に、磁気記録部にＩＤ情報を記録したり消去したり、真贋判定表示部に所定のＩＤ情報や書き換えられたＩＤ情報を表示することができる。
【００１７】
【発明の実施の形態】
次に、本発明に係る真贋判定表示部を備えたシートの実施形態について説明する。本発明によるシートは、証券、小切手、チケット、商品券、ビール券、図書券、引換券等の有価証券や、領収書、クレジットカード、ＩＣカード、その他偽造防止のための真贋判定を必要とする印刷物全般に適用することができる。
【００１８】
図１は、本発明の第１実施形態を示すもので、真贋判定表示部を備えたシートの平面図であり、図２はそのＸ−Ｘ線概略断面図を示している。図中で１はシート基材であり、このシート基材１の所定部に真贋判定表示部２が設けられると共に、当該真贋判定表示部２に通電するための導電線３が形成されている。２本の導電線３の端部はシート基材１の端縁部に位置しており、この導電線３の端部に外部電源接続用の端子４がそれぞれ設けられている。
【００１９】
上記シート基材１としては、紙（例えば上質紙、中質紙、合成紙、各種再生紙、アート紙、コート紙、ミラーコート紙、コンデンサー紙、パラフィン紙、その他の紙の他に、それに保護オーバーコート層を持つ用紙等）、或はこれらを組み合わせたもの、又はこれらに樹脂ワニスを含浸させて成形した複合シート、ポリアミド系樹脂シート、ポリエステル系樹脂シート、ポリオレフィン系樹脂シート、ポリイミド系樹脂シート、エチレン・ビニルアルコール共重合体シート、ポリビニルアルコール系樹脂シート、ポリ塩化ビニル系樹脂シート、ポリ塩化ビニリデン系樹脂シート、ポリスチレン系樹脂シート、ポリカーボネート系樹脂シート、アクリロニトリルブタジエンスチレン共重合系樹脂シート、ポリエーテルスルホン系樹脂シート等のプラスチックシート、或はこれらにコロナ放電処理、プラズマ処理、紫外線照射処理、電子線照射処理、フレームプラズマ処理及びオゾン処理等の表面処理を施したもの、更にガラス繊維、アルミナ繊維、ポリエステル繊維、ポリアミド繊維等の無機又は有機繊維からなる織布、不織布、マット等のものから選択して用いることができる。
【００２０】
上記真贋判定表示部２は、ＥＬ素子からなり、無機ＥＬ素子又は有機ＥＬ素子が使用可能であり、発光性や製造面からして本発明では有機ＥＬ素子を使用することが好ましい。このような有機ＥＬ素子を用いる真贋判定表示部２は、所定の工程により上記シート基材１上に形成されるもので、ここでは説明を省略する。
【００２１】
上記導電線３は、例えば導電性インクにより形成されている。本発明で用いる導電性インクの例としては、銀粉末、金粉末、白金粉末、アルミニウム粉末、パラジウム、ロジウムなどの粉末、カーボン粉末（カーボンブラック、カーボンナノチューブなど）などの導電微粒子を樹脂などのバインダー組成物に配合したものを一般的に挙げることができる。導電性インクは熱硬化型の他、光硬化型、浸透乾燥型、溶剤揮発型といった公知のものを利用できる。尚、光硬化性樹脂を樹脂組成物に含むと、硬化時間を短縮して効率を向上させることができる。但し、導電性高分子を主成分とするものなど樹脂組成物自身が導電性を有する場合は、導電微粒子は必須ではない。尚、導電線３及び端子４の形成は導電性インクに限定されない。
【００２２】
次に、このように構成されたＥＬ素子からなる真贋判定表示部２を備えたシートの使用方法について説明する。図３は、前記シートの端子４に電池等の外部電源５を接続して真贋判定表示部２にＩＤ情報６をＥＬ発光させて表示した状態を示している。外部電源５の非接続時（非通電時）には、真贋判定表示部２には何も表示されないが、外部電源５の接続時（通電時）には、ＥＬ素子によるＩＤ情報６が発光して真贋判定表示部２に表示される。ＩＤ情報６はカラー表示することも可能である。
【００２３】
この場合、外部電源５は数ボルトの低電圧でよいため電池を使用することができる。従って、電池とリード線があれば容易に真贋判定できることとなり、真贋判定を行う場所が制限されず、特別な真贋判定装置も必要としない。外部電源５を端子４から外せば、真贋判定表示部２のＩＤ情報６の表示は消えて元の状態に復帰する。
【００２４】
図４は、本発明の第２実施形態を示すもので、上記シート基材１に導線からなる閉回路７ａを有するアンテナモジュール７を設けた構成に特徴を有するものである。この場合、アンテナモジュール７と真贋判定表示部２とが配線７ｂにより接続され、前記導電線３及び端子４は設けられていない。
【００２５】
この第２実施形態では、アンテナモジュール７に電磁波を照射すると、閉回路７ａに誘導起電力が発生し、この起電力によって真贋判定表示部２にＩＤ情報を表示することができる。このため、本実施例においては、上記外部電源５が不必要となっている。尚、図示は省略したが、閉回路７ａ中に増幅器を配設して起電力を高めるようにしてもよい。
【００２６】
図５は、本発明の第３実施形態を示すもので、真贋判定表示部２にＩＣモジュール８を組み付けた構成に特徴を有するものである。ＩＣモジュール８は、例えば図６に示すようにアンテナ部８３と、アンテナ部８３の接続端子であるランド部８２ａ，８２ｂおよび独立したランド部８５と、コイル状のアンテナ部８３に跨って形成されている絶縁部８６と、絶縁部８６を横切るように形成されてランド部８２ａ，８５を接続させるジャンパー部８８と、ランド部８２ｂ，８５に接続するように実装されているＩＣチップ８９とからなる。尚、ＩＣモジュール８は、シート基材１における真贋判定表示部２とは別の箇所に設けて、真贋判定表示部２に接続する構成を採用してもよい。
【００２７】
ＩＣチップ８９としては、一般的なＩＣメディアに用いることのできる公知の任意なものを用いることができ、それらに対応してアンテナ部８３のパターンやランド部８２ａ，８２ｂ，８５を任意に設計すれば良い。ＩＣチップ８９の実装は、ワイヤーボンディングをはじめとして、異方性導電フィルム、ポリマー型導電インク、絶縁樹脂、クリーム半田ボールを用いたものなど、公知の様々な方法で行える。必要であれば、公知のアンダーフィル材あるいはグローブトップ材などによる接続部およびＩＣチップを含めた保護や補強を行ってもよい。
【００２８】
この場合、外部電源を使用せずデータの送受信の際にアンテナ部８３などの導電回路に誘導される起電力により、前記シートの真贋判定表示部２のＥＬ素子を発光させて真贋判定表示部２にＩＤ情報を表示することもできる。更に、非接触でデータの授受を行ってデータの記憶や消去等が可能であるため、複数のＩＤ情報の中から適宜のＩＤ情報を選択し、或は書き換えられたＩＤ情報を真贋判定表示部２に表示することができる。従って、ＩＤ情報を日替わり或は月替わり等所定の期間ごとに任意に変更することが可能であり、シートのセキュリティ特性を高めることができる。
【００２９】
図７は、本発明の第４実施形態を示すもので、シート基材１に上記ＩＣモジュール８とシート型の薄い形状の電源部９を設け、ＩＣモジュール８は前記真贋判定表示部２に配線１０ａを介して接続し、電源部９はＩＣモジュール８に配線１０ｂを介して接続した構成に特徴を有するものである。この電源部９により真贋判定表示部２にＩＤ情報を表示できるのみならず、そのＩＤ情報表示を一定時間或は長時間保持することができる。この場合も、非接触でデータの授受を行ってデータの記憶や消去等が可能であるため、複数のＩＤ情報の中から適宜のＩＤ情報を選択し、或は書き換えられたＩＤ情報を真贋判定表示部２に表示することができる。従って、ＩＤ情報を日替わり或は月替わり等所定の期間ごとに任意に変更することが可能であり、シートのセキュリティ特性を高めることができる。尚、ＩＣモジュール８は、上記第５実施形態の場合と同じく真贋判定表示部２に組み込む構成を採用することができる。
【００３０】
図８は、本発明の第５実施形態を示すもので、上記第６実施形態のものを発展させたものであり、シート基材１に磁気記録部１１を設けた構成に特徴を有するものである。この磁気記録部１１以外は上記第６実施形態のものと構成が同じである。この場合、磁気記録部１１にＩＤ情報を記録したり消去したりできる他、外部のリーダ／ライタからの表示情報や制御信号を非接触で受信して、電源部９の起電力によりＥＬ素子を発光させて真贋判定表示部２に所定のＩＤ情報や書き換えられたＩＤ情報、又は画像（静止画や動画）の一部等を鮮明な高画質のカラー表示を行うことができる。電源部９の起電力を使用するので、ＩＤ情報等の表示を長時間保持しておくこともできる。
【００３１】
【発明の効果】
以上説明したことから明らかなように、本発明に係る請求項１によれば、シート基材の所定部に、ＥＬ素子からなり、少なくとも当該シートのＩＤ情報を表示する真贋判定表示部を備えているので、真贋判定表示部のＥＬ素子に通電することで発光させ、真贋判定表示部にシートのＩＤ情報を表示することができる。これにより、真贋判定機能を充分発揮させることができると共に、シートのセキュリティ特性を高めることができるといった効果を奏する。
【００３２】
又、本発明に係る請求項２によれば、導電線を導電性インクにより形成したことにより、通常の金属線を用いたのに比べ、シートへの定着性が良く、又、導電線からなる回路自体を薄く形成できるため、薄型の真贋判定表示部にも好適に対応できるといった効果を奏する。
【００３３】
本発明に係る請求項３によれば、真贋判定表示部にＩＣモジュールを組み付けたことにより、ＩＣモジュールに記憶されているＩＤ情報を、例えば、複数のＩＤ情報の中から所定のＩＤ情報を適宜選択したり、ＩＣモジュールに新規のＩＤ情報を付加したり、既に記憶しているＩＤ情報の変更や削除が行えるため、これをもって真贋判定表示部に任意のＩＤ情報を表示できるといった効果を奏する。
【００３４】
本発明に係る請求項４によれば、ＩＣモジュールを、アンテナモジュールを有した非接触型ＩＣデータ送受信方式に対応させることで、無線によりＩＤ情報の選択表示、付加、変更、削除などが行える。又、アンテナモジュールとは、通常、導線からなる閉回路（尚、コンデンサ部などを有する分岐回路を付帯する場合もある）であって、このモジュールに電磁波を照射することで起電力を発生させ、この起電力により真贋判定表示部にＩＤ情報を表示させることもできるため、外部電源を不必要とすることもできるといった効果を奏する。
【００３５】
本発明に係る請求項５によれば、シート基材に設けられた電源部により、非接触型ＩＣデータ送受信方式、接触型ＩＣデータ送受信方式を問わず、有効にＩＣモジュールを駆動できるため、外部電源をなくすことができるといった効果を奏する。
【００３６】
更に、本発明に係る請求項６によれば、シート基材に磁気記録部を設けたことにより、ＩＣモジュールと同様に、磁気記録部にＩＤ情報を記録したり消去したり、真贋判定表示部に所定のＩＤ情報や書き換えられたＩＤ情報を表示することができるといった効果を奏する。
【図面の簡単な説明】
【図１】本発明に係る第１実施形態を示すもので、真贋判定表示部を備えたシートの平面図である。
【図２】図１におけるＸ−Ｘ線概略縦断面図である。
【図３】第１実施形態のシートに外部電源を接続して真贋判定表示部にＩＤ情報を表示した状態をしめす説明図である。
【図４】本発明に係る第２実施形態を示すもので、真贋判定表示部を備えたシートの平面図である。
【図５】本発明に係る第３実施形態を示すもので、真贋判定表示部を備えたシートの平面図である。
【図６】シートに設けるＩＣモジュールの一例を示す平面図である。
【図７】本発明に係る第４実施形態を示すもので、真贋判定表示部を備えたシートの平面図である。
【図８】本発明に係る第５実施形態を示すもので、真贋判定表示部を備えたシートの平面図である。
【符号の説明】
１…シート基材
２…真贋判定表示部
３…導電線
４…端子
５…外部電源
６…ＩＤ情報
７…アンテナモジュール
８…ＩＣモジュール
９…電源部
１１…磁気記録部
【図１】
2004078608.tif 000003
【図２】
2004078608.tif 000004
【図３】
2004078608.tif 000005
【図４】
2004078608.tif 000006
【図５】
2004078608.tif 000007
【図６】
2004078608.tif 000008
【図７】
2004078608.tif 000009
【図８】
2004078608.tif 000010